(57)【特許請求の範囲】
【請求項１】
荷重を支持する木製の柱心材と、前記柱心材の外周を取り囲む第１燃え止まり層と、前記第１燃え止まり層の外周を取り囲む木製の第１燃え代層と、前記第１燃え止まり層の側面から前記柱心材の中心軸へ向うとともに上下方向へ直線状に形成された第１縦溝とを備えた柱と、
荷重を支持する木製の梁心材と、前記梁心材の側面と下面とを取り囲む第２燃え止まり層と、前記第２燃え止まり層の側面と下面とを取り囲む木製の第２燃え代層と、前記梁心材の端面から前記梁心材の梁長方向へ形成された第２縦溝とを備えた梁と、
前記第１縦溝と前記第２縦溝とに設けられ前記第１縦溝と前記第２縦溝とへ上方から下方へ挿入可能な連結板と、
前記第１燃え止まり層の側面と前記第１燃え代層に形成された切欠部内に配置された前記第２燃え止まり層の端面とを対向させて前記第２燃え止まり層に前記連結板の側方と下方とを取り囲ませた状態で前記梁心材に前記連結板を連結する連結部材と、
前記連結板の上端部に固定され前記柱心材の上面に水平に支持されるとともに前記連結板を支持して前記連結板の沈み込みを抑制する板状の抵抗部材と、
を有する柱梁接合構造。
【請求項２】
前記梁心材の上面に設けられ、前記第２燃え止まり層とで前記連結板の周囲を囲むコンクリート製の床版を有する請求項１に記載の柱梁接合構造。
【請求項３】
請求項１又は２に記載の柱梁接合構造を構築する柱梁接合方法において、
前記柱の接合面と前記梁の端面とが対向するように前記梁を配置する梁配置工程と、
前記第１縦溝及び前記第２縦溝に前記連結板を上方から下方へ移動させて挿入し、前記連結部材により前記連結板を前記梁心材に連結する梁接合工程と、
を有する柱梁接合方法。
【発明の詳細な説明】
【技術分野】
【０００１】
本発明は、耐火性を有する木造の柱と梁との柱梁接合構造、及び柱梁接合方法に関する。
【背景技術】
【０００２】
近年、木造の柱や梁として、燃え止まり機能を備えた耐火木造構造部材が提案されている。例えば、特許文献１には、木材からなる荷重支持層と、荷重支持層の外側に設けられる燃え止まり層と、燃え止まり層の外側に設けられる燃え代層とを有する複合木質構造材が開示されている。このような柱や梁により構築される木造建物においては、柱と梁との接合部にも、耐火木造構造部材と同等の耐火性が求められる。
【先行技術文献】
【特許文献】
【０００３】
【特許文献１】特開２００８−２１８９号公報
【発明の概要】
【発明が解決しようとする課題】
【０００４】
本発明は係る事実を考慮し、耐火性を有する木造の柱と梁との接合部に耐火性を付与することが可能な柱梁接合構造、及びこの柱梁接合構造を構築する柱梁接合方法を提供することを課題とする。
【課題を解決するための手段】
【０００５】
第１態様の発明は、荷重を支持する木製の柱心材と、前記柱心材の外周を取り囲む第１燃え止まり層と、前記第１燃え止まり層の外周を取り囲む木製の第１燃え代層と、前記第１燃え止まり層の側面から前記柱心材の中心軸へ向って形成された第１縦溝とを備えた柱と、荷重を支持する木製の梁心材と、前記梁心材の側面と下面とを取り囲む第２燃え止まり層と、前記第２燃え止まり層の側面と下面とを取り囲む木製の第２燃え代層と、前記梁心材の端面から前記梁心材の梁長方向へ形成された第２縦溝とを備えた梁と、前記第１縦溝と前記第２縦溝とに連結板を挿入し前記第１燃え止まり層の側面と前記第２燃え止まり層の端面とを対向させて前記第２燃え止まり層に前記連結板の側方と下方とを取り囲ませた状態で前記梁心材に前記連結板を連結する連結部材と、前記連結板の上端部に固定され前記柱心材に水平に支持される板状の抵抗部材と、を有する柱梁接合構造である。
【０００６】
第１態様の発明では、柱心材と梁心材とをつないで柱と梁とを接合する連結板が、第２燃え止まり層によって取り囲まれているので、火災（加熱）時及び火災（加熱）終了後における連結板の温度上昇を抑制することができる。これにより、柱と梁との接合部に耐火性を付与することができる。
【０００７】
第２態様の発明は、第１態様の柱梁接合構造において、前記梁心材の上面に設けられ、前記第２燃え止まり層とで前記連結板の周囲を囲むコンクリート製の床版を有する柱梁接合構造である。
【０００８】
第２態様の発明では、柱心材と梁心材とをつないで柱と梁とを接合する連結板が、第２燃え止まり層と床版とによって取り囲まれているので、火災（加熱）時及び火災（加熱）終了後における連結板の温度上昇を抑制することができる。これにより、柱と梁との接合部に耐火性を付与することができる。
【０００９】
第３態様の発明は、第１又は第２態様の柱梁接合構造を構築する柱梁接合方法において、前記柱の接合面と前記梁の端面とが対向するように前記梁を配置する梁配置工程と、前記第１縦溝及び前記第２縦溝に前記連結板を挿入し、前記連結部材により前記連結板を前記梁心材に連結する梁接合工程と、を有する柱梁接合方法である。
【００１０】
第３態様の発明では、梁配置工程と梁接合工程とによって、柱と梁との接合部に耐火性を付与することが可能な柱梁接合構造を構築することができる。
【発明の効果】
【００１１】
本発明は上記構成としたので、耐火性を有する木造の柱と梁との接合部に耐火性を付与することができる。
【図面の簡単な説明】
【００１２】
【図１】本発明の実施形態に係る柱梁接合構造を示す平断面図である。
【図２】図１のＡ−Ａ断面図である。
【図３】図１のＢ−Ｂ断面図である。
【図４】本発明の実施形態に係る柱梁接合方法を示す説明図である。
【図５】本発明の実施形態に係る梁の変形例を示す横断面図である。
【図６】本発明の実施形態に係る主筋の変形例を示す側断面図である。
【図７】本発明の実施形態に係る柱梁架構を示す側断面図である。
【発明を実施するための形態】
【００１３】
図を参照しながら、本発明の実施形態を説明する。まず、本発明の実施形態に係る柱梁接合構造について説明する。
【００１４】
図１の平断面図に示すように、柱梁接合構造１０は、柱１２、梁１４、及び連結板１８を有している。柱１２には４つの梁１４が接合されており、これらの梁１４は、平面視にて各梁１４の材軸が柱１２の中心軸で交差するように略配置されている。
【００１５】
柱１２は、荷重を支持する木製の柱心材２０と、柱心材２０の外周を取り囲む第１燃え止まり層２２と、第１燃え止まり層２２の外周を取り囲む木製の第１燃え代層２４と、第１燃え止まり層２２の側面から柱心材２０の中心軸へ向って形成された第１縦溝１６とを備えている。第１縦溝１６は、柱心材２０の上面から下方へ形成されており、第１縦溝１６には、連結板１８が挿入されている。
【００１６】
図１のＡ−Ａ断面図である図２に示すように、下階の柱１２（柱心材２０）の上には、上階の柱１２（柱心材２０）が載置されている（図４（ｅ）を参照のこと）。以下、説明の都合上、下階の柱１２を柱１２Ａとし、上階の柱１２を柱１２Ｂとする。
【００１７】
柱１２Ａと柱１２Ｂとは、柱１２Ａの柱心材２０と柱１２Ｂの柱心材２０とを主筋３０によって連結することにより、接合されている。柱１２Ａの柱心材２０の上面には、鉛直挿入孔４２が形成され、柱１２Ｂの柱心材２０の下面には、鉛直挿入孔４４が形成されている。そして、接着剤により、鉛直挿入孔４２に主筋３０の下端部を挿入して定着し、鉛直挿入孔４４に主筋３０の上端部を挿入して定着する。このような構成により、柱１２Ａと柱１２Ｂとの間において、鉛直荷重は、柱１２Ａの柱心材２０の上面と、柱１２Ｂの柱心材２０の下面との支圧により伝達され、曲げ荷重は、主筋３０を介して伝達される。
【００１８】
図１のＢ−Ｂ断面図である図３に示すように、梁１４は、荷重を支持する木製の梁心材３２と、梁心材３２の側面と下面とを取り囲む第２燃え止まり層３４と、第２燃え止まり層３４の側面と下面とを取り囲む木製の第２燃え代層３６と、梁心材３２の端部に形成された第２縦溝３８とを備えている。
【００１９】
第２縦溝３８は、梁心材３２の梁長方向に沿って梁心材３２の一方（柱１２側）の端面から他方の端面（不図示）へ向って形成されている。また、第２縦溝３８は、梁心材３２の上面から下方へ形成されており、第２縦溝３８には、連結板１８が挿入されている。
【００２０】
連結板１８は、鋼板によって形成されている。図１に示すように、連結板１８は、平面視にて略直交して４つ配置されており、各連結板１８の端部同士は接合されている。また、連結板１８の上端部には、板状に形成された鋼製の抵抗部材２６が略水平に固定されている。また、抵抗部材２６には、主筋３０が貫通する貫通孔４０が形成されている。そして、一体化された４つの連結板１８と抵抗部材２６とよって連結構造体２８が構成されている。
【００２１】
図１、２に示すように、梁１４は、第１縦溝１６と第２縦溝３８とに連結板１８が挿入された状態で、梁心材３２に形成された連結孔５０と、連結板１８に形成された貫通孔５２とに、連結部材としてのドリフトピン４８を貫通させて、梁心材３２に連結板１８を連結することにより、柱１２に接合されている。この状態で、抵抗部材２６は、柱心材２０の上面に略水平に支持され、下階の柱１２Ａを構成する第１燃え止まり層２２の内側に配置されている。また、抵抗部材２６は、柱１２Ａの柱心材２０の上面と、柱１２Ｂの柱心材２０の下面とに挟まれることによって、柱１２Ａの柱心材２０に固定されている。すなわち、連結構造体２８（連結板１８）は、柱１２Ａの柱心材２０に固定されている。なお、抵抗部材２６は、梁１４が柱１２に接合された状態で、上階の柱１２Ｂを構成する第１燃え止まり層２２の内側に配置されるようにしてもよい。
【００２２】
ドリフトピン４８は、第２燃え代層３６と第２燃え止まり層３４とに形成され連結孔５０と連通する挿入孔５６から挿入する。そして、ドリフトピン４８を連結孔５０と貫通孔５２とに貫通させた後に、閉塞材や閉塞部材によって挿入孔５６を塞ぐ。第２燃え代層３６に形成されている挿入孔５６は、第２燃え代層３６を形成する材料によって塞ぎ、第２燃え止まり層３４に形成されている挿入孔５６は、第２燃え止まり層３４を形成する材料によって塞ぐのが好ましい。
【００２３】
図２に示すように、梁１４の端部は、柱１２の側面に形成された切欠部５４に挿入されており、これによって、柱１２に梁１４を接合した状態で、第１燃え止まり層２２の側面と第２燃え止まり層３４の端面とは接触している。
【００２４】
図３に示すように、梁１４の上面には、鉄筋コンクリート製の床版６６が設けられている。すなわち、梁心材３２、第２燃え止まり層３４、及び第２燃え代層３６の上面に、床版６６が設けられている。これにより、連結板１８の側方と下方とは、第２燃え止まり層３４によって取り囲まれ、連結板１８の上方は床版６６によって取り囲まれている。すなわち、連結板１８は、第２燃え止まり層３４と床版６６とによって外周を取り囲まれている。
【００２５】
なお、柱心材２０、梁心材３２、第１燃え代層２４、及び第２燃え代層３６は、木材によって形成されていればよい。例えば、柱心材２０、梁心材３２、第１燃え代層２４、及び第２燃え代層３６は、米松、唐松、檜、杉、あすなろ等の一般の木造建築に用いられる柱材や梁材（以下、「一般木材」とする）によって形成してもよいし、これらの一般木材を角柱状の単材に加工し、この単材を複数集成し単材同士を接着剤により接着して一体化することによって形成してもよい。
【００２６】
また、第１燃え止まり層２２、及び第２燃え止まり層３４は、熱の吸収が可能な層であればよい。例えば、第１燃え止まり層２２、及び第２燃え止まり層３４は、一般木材よりも熱容量が大きな材料、一般木材よりも断熱性が高い材料、又は一般木材よりも熱慣性が高い材料によって形成してもよいし、これらの材料と一般木材とを組み合わせて形成してもよい。
【００２７】
一般木材よりも熱容量が大きな材料としては、モルタル、石材、ガラス、繊維補強セメント等の無機質材料、各種の金属材料などが挙げられる。一般木材よりも断熱性が高い材料としては、珪酸カルシウム板、ロックウール、グラスウールなどが挙げられる。一般木材よりも熱慣性が高い材料としては、セランガンバツ、ジャラ、ボンゴシ等の木材が挙げられる。
【００２８】
また、第２燃え代層３６に形成されている挿入孔５６は、第２燃え代層３６を形成する材料によって塞ぎ、第２燃え止まり層３４に形成されている挿入孔５６は、第２燃え止まり層３４を形成する材料によって塞ぐのが好ましいが、熱の吸収が可能な閉塞材又は閉塞部材で塞ぐのがより好ましい。また、第２燃え止まり層３４の挿入孔５６が形成されていない部分が熱を吸収するので、熱の吸収が期待できないような閉塞材又は閉塞部材で挿入孔５６を塞いでもよい。
【００２９】
次に、本発明の実施形態に係る柱梁接合方法について説明する。
【００３０】
ここでは、図４（ａ）〜（ｈ）により、柱梁接合方法を用いて建物を構築する手順の一例について説明する。建物は、柱設置工程、梁配置工程、連結板挿入工程、梁接合工程、柱接合工程、及び打設工程によって構築される。また、柱梁接合方法は、梁配置工程、及び梁接合工程によって構成されている。
【００３１】
まず、柱設置工程では、図４（ａ）に示すように、建物の基礎７０の上に柱１２Ａを設置し、柱１２Ａの鉛直挿入孔４２に主筋３０の下端部を挿入して定着する。
【００３２】
次に、梁配置工程では、図４（ｂ）に示すように、梁１４を上方から下方へ移動させて、柱１２の接合面と梁１４の端面とが対向するように梁１４を配置する。
【００３３】
次に、連結板挿入工程では、図４（ｃ）に示すように、連結構造体２８を上方から下方へ移動させて、柱１２Ａの第１縦溝１６と梁１４の第２縦溝３８とに連結板１８を挿入する。
【００３４】
次に、梁接合工程では、図４（ｄ）に示すように、ドリフトピン４８により、連結板１８を梁１４の梁心材３２に連結して、梁１４の両端部を左右の柱１２にそれぞれ接合する。連結板１８を梁１４の梁心材３２に連結した後に、挿入孔５６を閉塞材又は閉塞部材によって塞ぐ。
【００３５】
次に、柱接合工程では、図４（ｅ）に示すように、柱１２Ａに定着された主筋３０の上端部を柱１２Ｂの鉛直挿入孔４４に挿入しながら、柱１２Ａの上に柱１２Ｂを載置する。そして、主筋３０の上端部を柱１２Ｂの鉛直挿入孔４４に定着することにより、柱１２Ａに柱１２Ｂを接合する。
【００３６】
次に、打設工程では、図４（ｆ）に示すように、梁１４上にコンクリートを打設し、鉄筋コンクリート製の床版６６を形成する。
【００３７】
次に、図４（ｇ）に示すように、柱１２Ｂの鉛直挿入孔４２に主筋３０の下端部を挿入して定着する。
【００３８】
次に、図４（ｈ）に示すように、３階を構成する梁１４を上方から下方へ移動させて、柱１２の接合面と梁１４の端面とが対向するように梁１４を配置し、後は、必要とする階数に達するまで、これまで説明した工程を繰り返して建物を構築する。
【００３９】
次に、本発明の実施形態に係る柱梁接合構造及び柱梁接合方法の作用と効果について説明する。
【００４０】
本発明の実施形態の柱梁接合構造１０では、図１、２に示すように、柱心材２０に支持され固定された連結板１８をドリフトピン４８により梁心材３２に連結することによって、梁１４に作用する荷重を、梁心材３２、ドリフトピン４８、連結板１８の順に伝えて柱心材２０に伝達することができ、また、柱１２に作用する荷重を、柱心材２０、連結板１８、ドリフトピン４８の順に伝えて梁心材３２に伝達することができるので、柱１２に梁１４を接合することができる。
【００４１】
また、柱１２においては、図１に示すように、火災が発生したときに火炎が第１燃え代層２４に着火し、第１燃え代層２４が燃焼する。そして、燃焼した第１燃え代層２４は炭化する。よって、柱１２の外部から柱心材２０への熱伝達と酸素供給とを炭化した第１燃え代層２４が遮断し、第１燃え止まり層２２が吸熱するので、火災（加熱）時及び火災（加熱）終了後における柱心材２０の温度上昇を抑制することができる。
【００４２】
また、梁１４においては、図３に示すように、火災が発生したときに火炎が第２燃え代層３６に着火し、第２燃え代層３６が燃焼する。そして、燃焼した第２燃え代層３６は炭化する。よって、梁１４の外部から梁心材３２への熱伝達と酸素供給とを炭化した第２燃え代層３６が遮断し、第２燃え止まり層３４が吸熱するので、火災（加熱）時及び火災（加熱）終了後における梁心材３２の温度上昇を抑制することができる。
【００４３】
また、第１燃え止まり層２２の側面と第２燃え止まり層３４の端面とは接触しているので、柱１２と梁１４との接合部から熱が進入して、柱心材２０及び梁心材３２の温度が上昇するのを抑制することができる。
【００４４】
よって、火災（加熱）時及び火災（加熱）終了後において、所定時間（例えば、１時間耐火の場合には、１時間）の間、柱心材２０及び梁心材３２を着火温度未満に抑え、柱心材２０及び梁心材３２を燃焼させずに燃え止まらせて、構造体として機能させることができる。
【００４５】
また、図１〜３に示すように、連結板１８は、周囲を第２燃え止まり層３４と床版６６とによって取り囲まれているので、火災（加熱）時及び火災（加熱）終了後における連結板１８の温度上昇を抑制することができる。これにより、柱１２と梁１４との接合部に耐火性を付与することができる。
【００４６】
また、抵抗部材２６により、鉛直荷重を受けた連結板１８が柱心材２０内に沈み込むのを抑制することができる。
【００４７】
また、柱接合工程では、１階分の長さの柱１２同士を接合するので、柱１２を短い長さの構造部材とすることができる。これにより、柱１２の搬送、揚重、移動、配置等の作業が行い易くなる。
【００４８】
以上、本発明の実施形態について説明した。
【００４９】
なお、本発明の実施形態では、図３に示すように、第２燃え止まり層３４が、梁心材３２の側面と下面とを取り囲み、第２燃え代層３６が、第２燃え止まり層３４の側面と下面とを取り囲む例を示したが、図５の横断面図に示すように、第２燃え止まり層３４が、梁心材３２の外周を取り囲み、第２燃え代層３６が、第２燃え止まり層３４の外周を取り囲むようにしてもよい。この場合には、第１縦溝３８に連結板１８を挿入した際に残る、第１縦溝３８上部の隙間に充填材Ｍを充填して塞ぐ。
【００５０】
充填材Ｍは、隙間への充填が可能な材料であればよい。充填材Ｍは、一般木材よりも熱容量が大きな材料、一般木材よりも断熱性が高い材料、又は一般木材よりも熱慣性が高い材料などの熱の吸収が可能な材料によって形成されていることが好ましいが、第２燃え止まり層３４から熱は吸収されるので、熱の吸収が期待できないような材料を充填材Ｍとして用いてもよい。充填材Ｍとしては、モルタル、繊維補強セメントなどが挙げられる。
【００５１】
また、本発明の実施形態では、梁１４の端部を挿入する切欠部５４を柱１２の側面に形成した例を示したが、この切欠部５４は、図２に示すように、柱１２に梁１４が接合され梁１４の上面に床版６６が設けられた状態で、床版６６の上面と、第２燃え燃え代層３６の下面に１０〜２０ｍｍ程度の隙間を有するように形成してもよい（以下、床版６６の上面に形成される隙間を「上目地」、第２燃え燃え代層３６の下面に形成される隙間を「下目地」とする）。このようにすれば、切欠部５４の開口面積が大きくなるので、プレキャスト床版を設置することにより床版６６を形成する場合に、プレキャスト床版が設置し易くなる。また、上目地及び下目地に、先に述べた充填材Ｍを充填して耐火処理を施すことによって、上目地及び下目地から熱が進入することを防ぐことができる。また、上目地及び下目地に、耐火性を有する可撓性材料を充填することにより、第１燃え代層２４が乾燥等により上下方向へ収縮した場合においても、上目地及び下目地が閉塞された状態を維持することができる。
【００５２】
また、本発明の実施形態では、連結板１８によって、柱１２に梁１４を接合した例を示したが、１つの梁心材３２内に連結板１８を複数対向させて配置するようにしてもよい。このようにすれば、連結板１８と梁心材３２の広い範囲とで力を伝達することができる。この場合、対向して配置された複数の連結板１８の全てにドリフトピン４８を貫通させてもよいが、対向して配置された複数の連結板１８毎にドリフトピン４８を設けて（貫通させて）、それぞれのドリフトピン４８を離して配置するのが好ましい。これにより、連結板１８に対して連結板１８の面方向に梁心材３２が移動したときにドリフトピン４８が曲がり、ドリフトピン４８の降伏によるエネルギー吸収効果が得られる。
【００５３】
また、本発明の実施形態では、第１燃え止まり層２２の側面と第２燃え止まり層３４の端面とを接触させた例を示したが、第１燃え止まり層２２の側面と第２燃え止まり層３４の端面とは、対向していればよい。すなわち、第１燃え止まり層２２の側面と第２燃え止まり層３４の端面とは、接触していてもよいし、隙間を有していてもよい。隙間を有する場合には、第１燃え止まり層２２の側面と第２燃え止まり層３４の端面との間からの熱の進入を防ぐために、先に述べた充填材Ｍを充填してこの隙間を塞ぐ。
【００５４】
また、本発明の実施形態では、柱１２に４つの梁１４を接合した例を示したが、柱１２に接合する梁１４はいくつでもよい。例えば、１つの梁１４のみを柱１２に接合してもよいし、平面視にて一直線状、Ｌ字状又はＴ字状に配置されるように２つ又は３つの梁１４を柱１２に接合してもよい。
【００５５】
また、本発明の実施形態では、柱１２に梁１４を接合する柱梁接合構造１０について説明したが、この柱梁接合構造１０を梁同士（例えば、大梁と小梁）の接合に適用してもよい。
【００５６】
また、本発明の実施形態では、抵抗部材２６の貫通孔４０を貫通する主筋３０によって、柱１２Ａと柱１２Ｂとを接合する例を示したが、図６の側断面図に示すように、主筋３０に鍔部７２を設けておいて、抵抗部材２６を鍔部７２とで上下に挟み込むように、溶接部７４を形成するようにしてもよい。このようにすれば、柱心材２０に対する抵抗部材２６（連結板１８）の固定度が上がり、また、柱１２の鉛直応力を梁１４へ確実に伝達することができる。
【００５７】
また、図７の側断面図に示すように、本発明の実施形態で示した柱梁接合構造１０を用いて柱梁架構７６を構成し、この柱梁架構７６に架構ブレース７８を設けてもよい。架構ブレース７８を設けることにより、地震時に柱梁架構７６に生じるせん断力を架構ブレース７８の軸力（引張力又は圧縮力）として負担し、柱梁架構７６のせん断抵抗を高めることができる。架構ブレース７８は、鋼製、鉄筋コンクリート製、木製等のさまざまな構成のものを用いることができる。
【００５８】
また、これらの架構ブレース７８及び架構ブレース７８の接合部に耐火性を付与させることにより、架構ブレース７８を設けることによって柱梁架構７６の耐火性能が低下するのを防ぐことができる。
【００５９】
図７には、柱梁架構７６に木製の架構ブレース７８が設けられている例が示されている。鋼製の連結板８０が仕口部下方に位置する柱心材２０に固定され、柱梁架構７６に配置された鋼製の接合プレート８２が、ボルト８４によって連結板８０と連結板１８とに接合されている。そして、ドリフトピン８６により、この接合プレート８２に架構ブレース７８が接合されている。このように、連結板１８と、連結板８０と、接合プレート８２とを別の部材によって構成することにより、架構ブレース７８を柱梁架構７６に取り付ける直前に、柱梁架構７６に接合プレート８２を取り付けることができる。
【００６０】
架構ブレース７８は、軸力を負担するブレース心材８８と、このブレース心材８８の外周を取り囲む燃え止まり層９０と、燃え止まり層９０の外周を取り囲む燃え代層９２とを備えている。また、接合プレート８２は、燃え止まり層９４により取り囲まれており、この燃え止まり層９４が木製の燃え代層９６により取り囲まれている。ブレース心材８８は、柱心材２０と、燃え止まり層９０、９４は、第１燃え止まり層２２と、燃え代層９２、９６は、第１燃え代層２４と同様の材料によって形成されている。
【００６１】
以上、本発明の実施形態について説明したが、本発明はこうした実施形態に何等限定されるものでなく、本発明の要旨を逸脱しない範囲において、種々なる態様で実施し得ることは勿論である。
【符号の説明】
【００６２】
１０  柱梁接合構造
１２  柱
１４  梁
１６  第１縦溝
１８  連結板
２０  柱心材
２２  第１燃え止まり層
２４  第１燃え代層
２６  抵抗部材
３２  梁心材
３４  第２燃え止まり層
３６  第２燃え代層
３８  第２縦溝
４８  ドリフトピン（連結部材）
６６  床版
【図１】
0005925427.tif 000002
【図２】
0005925427.tif 000003
【図３】
0005925427.tif 000004
【図４】
0005925427.tif 000005
【図５】
0005925427.tif 000006
【図６】
0005925427.tif 000007
【図７】
0005925427.tif 000008